(57)【要約】【課題】戸板の上端側及び下端側のうちの一方をガイドする部材を少なくとも全閉位置において目立ち難くしながらも、全閉位置及び全開位置のうちの少なくとも一方側に移動する戸板の衝撃を緩和し得る引戸装置を提供する。【解決手段】壁体２に設けられた開口３を該開口の壁厚方向一方側において開閉するように前記壁体の一方面に沿ってスライド自在に建て付けられる戸板１０を備えた引戸装置１であって、前記壁体の一方側に配設され、前記戸板の上下方向一端側をガイドするガイドレール６と、前記壁体の一方側において全閉位置の前記戸板の戸幅内に納まる位置となるように配設され、前記戸板の上下方向他端側をガイドするガイド部材２０と、前記ガイド部材に設けられた作用部２３ａ，２５ａ，２７ａ，２７ｂによって作動されるように、前記戸板の上下方向他端側に設けられ、全閉位置及び全開位置のうちの少なくとも一方側に移動する前記戸板を減速させる緩衝機構１３，１６と、を備えている。【選択図】図１
2016130391.tif 000002
【特許請求の範囲】
【請求項１】
壁体に設けられた開口を該開口の壁厚方向一方側において開閉するように前記壁体の一方面に沿ってスライド自在に建て付けられる戸板を備えた引戸装置であって、
前記壁体の一方側に配設され、前記戸板の上下方向一端側をガイドするガイドレールと、
前記壁体の一方側において全閉位置の前記戸板の戸幅内に納まる位置となるように配設され、前記戸板の上下方向他端側をガイドするガイド部材と、
前記ガイド部材に設けられた作用部によって作動されるように、前記戸板の上下方向他端側に設けられ、全閉位置及び全開位置のうちの少なくとも一方側に移動する前記戸板を減速させる緩衝機構と、を備えていることを特徴とする引戸装置。
【請求項２】
請求項１において、
前記ガイド部材は、全開位置の前記戸板の戸先側端部幅内に納まる位置となるように配設される構成とされ、
前記戸板の上下方向他端側の戸幅方向両端部のそれぞれに前記緩衝機構が対状に設けられていることを特徴とする引戸装置。
【請求項３】
請求項２において、
前記ガイド部材には、前記対状に設けられた緩衝機構の各作動アームの先端部が当接し、該作動アームを作動させる前記作用部を構成する全閉側作用部と全開側作用部とが戸厚方向に沿う方向に見て線対称状となるように設けられていることを特徴とする引戸装置。
【請求項４】
請求項３において、
前記ガイド部材には、前記作動アームの先端部を受け入れ、前記戸板の全閉位置及び全開位置を規制する係合凹部が設けられていることを特徴とする引戸装置。
【請求項５】
請求項１乃至４のいずれか１項において、
前記戸板の上下方向他端側には、戸幅方向に延びる凹溝が設けられており、
前記ガイド部材には、前記戸板の凹溝の内面に当接されて転動するローラーが設けられていることを特徴とする引戸装置。
【発明の詳細な説明】
【技術分野】
【０００１】
本発明は、引戸装置に関する。
【背景技術】
【０００２】
従来より、壁体に設けられた出入口等となる開口をこの開口の壁厚方向一方側において開閉するように壁体の一方面に沿ってスライド自在に、いわゆるアウトセット納め状に建て付けられる引戸が知られている。このようなアウトセット納めとした場合には、引戸の上端及び下端をそれぞれにガイドする上下のレールが壁面に沿うように取り付けられる。そのため、特に、引戸を閉鎖した状態では、開放された際に引戸が沿わせられる（納められる）側の壁面の一方側においてレールが目立ち易くなるという問題があった。
例えば、下記特許文献１には、引戸の下端部に設けた戸車が走行し床面に固定されるレールの両端部にストッパー部材を設け、引戸の上部をガイドする上部案内機構を設けた引戸装置が開示されている。また、この引戸装置は、開口部とその側方の壁面との間の上部の壁面に設けられる上部案内機構を構成するガイド部材に、引戸の上端部に設けられたレール部材のガイド片が係合するガイド溝を設けた構成とされている。
【先行技術文献】
【特許文献】
【０００３】
【特許文献１】特開２００３−８２９１５号公報
【発明の概要】
【発明が解決しようとする課題】
【０００４】
しかしながら、上記特許文献１に記載されたような引戸装置では、全開位置及び全閉位置に移動する引戸のストッパー部材に対する衝撃が大きくなることが考えられた。
【０００５】
本発明は、上記実情に鑑みてなされたものであり、戸板の上端側及び下端側のうちの一方をガイドする部材を少なくとも全閉位置において目立ち難くしながらも、全閉位置及び全開位置のうちの少なくとも一方側に移動する戸板の衝撃を緩和し得る引戸装置を提供することを目的としている。
【課題を解決するための手段】
【０００６】
前記目的を達成するために、本発明に係る引戸装置は、壁体に設けられた開口を該開口の壁厚方向一方側において開閉するように前記壁体の一方面に沿ってスライド自在に建て付けられる戸板を備えた引戸装置であって、前記壁体の一方側に配設され、前記戸板の上下方向一端側をガイドするガイドレールと、前記壁体の一方側において全閉位置の前記戸板の戸幅内に納まる位置となるように配設され、前記戸板の上下方向他端側をガイドするガイド部材と、前記ガイド部材に設けられた作用部によって作動されるように、前記戸板の上下方向他端側に設けられ、全閉位置及び全開位置のうちの少なくとも一方側に移動する前記戸板を減速させる緩衝機構と、を備えていることを特徴とする。
【発明の効果】
【０００７】
本発明に係る引戸装置は、上述のような構成としたことで、戸板の上端側及び下端側のうちの一方をガイドする部材を少なくとも全閉位置において目立ち難くしながらも、全閉位置及び全開位置のうちの少なくとも一方側に移動する戸板の衝撃を緩和することができる。
【図面の簡単な説明】
【０００８】
【図１】本発明の一実施形態に係る引戸装置の一例を施工した状態を模式的に示す一部破断概略正面図である。
【図２】同引戸装置の一例を施工した状態を模式的に示す一部破断概略正面図である。
【図３】（ａ）は、図２におけるＹ−Ｙ線矢視に対応させた一部破断概略縦断面図、（ｂ）は、同引戸装置が備えるガイド部材の一例を模式的に示す概略斜視図、（ｃ）は、図１におけるＸ−Ｘ線矢視に対応させた一部破断概略横断面図である。
【図４】（ａ）、（ｂ）は、いずれも図１におけるＺ１部に対応させた一部破断概略拡大縦断面図、（ｃ）、（ｄ）は、いずれも図２におけるＺ２部に対応させた一部破断概略拡大縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
本実施形態に係る引戸装置１は、図１、図２及び図３（ａ）、（ｃ）に示すように、壁体２に設けられた開口３をこの開口３の壁厚方向一方側において開閉するように壁体２の一方面に沿ってスライド自在に設けられる戸板１０を備えている。つまり、この戸板１０は、壁体の一部に袖壁を設ける袖壁納めや壁体に戸袋を設ける戸袋納めではなく、開口３の壁厚方向一方側となる外側においてスライド自在に、いわゆるアウトセット納め状に建て付けられる構成とされている。また、この戸板１０は、図１に示す全閉位置から戸幅方向一方側に片引き状にスライドされて図２に示す全開位置とされれば、開口３の開口幅方向一方側に位置する壁体２の壁厚方向一方側に配される構成とされている。本実施形態では、引戸装置１を、単一の戸板１０を備えた構成としている。
【００１１】
また、引戸装置１は、壁体２の一方側（壁厚方向一方側）に配設され、戸板１０の上下方向一端側をガイドするガイドレール６と、壁体２の一方側（壁厚方向一方側）に配設され、戸板１０の上下方向他端側をガイドするガイド部材２０と、を備えている。また、引戸装置１は、ガイド部材２０に設けられた作用部２３ａ，２５ａ，２７ａ，２７ｂによって作動されるように、戸板１０の上下方向他端側に設けられ、全閉位置及び全開位置のうちの少なくとも一方側に移動する戸板１０を減速させる緩衝機構１３，１６を備えている。
本実施形態では、戸板１０の上下方向一端側を下端側とし、戸板１０の上下方向他端側を上端側としている。つまり、ガイドレール６を、戸板１０の下端側をガイドする下レール６とし、ガイド部材２０を、戸板１０の上端側をガイドする上ガイド部材２０としている。また、本実施形態では、戸板１０の荷重を下レール６によって受ける下荷重型としている。
【００１２】
開口３は、図３（ｃ）に示すように、住居等の建物の壁体２を貫通するように設けられ、出入口を構成する。図例では、開口３の上側及び左右（開口幅方向）両側を、開口枠を構成する上枠４及び一対の縦枠５，５によって区画した例を示している。また、図例では、これら上枠４及び一対の縦枠５，５を、これらの壁厚方向（見込方向）両端部がいわゆるちり部となるように壁厚方向両面から突出する固定枠とした例を示している。また、この開口３の下側は、床面によって区画するようにしてもよく、下枠によって区画するようにしてもよい。また、このような開口枠を備えた引戸装置１として把握するようにしてもよい。なお、このような開口枠を設けずに、開口３を、無枠状にクロス仕上された内側面によって区画するようにしてもよい。
【００１３】
下レール６は、戸板１０のスライド方向（戸幅方向）に沿って長尺状とされ、図１に示す全閉位置と図２に示す全開位置とに亘ってスライドする戸板１０の下端側のガイドが可能なように床側に配設される。図例では、この下レール６の長さを、全閉位置の戸板１０の戸先側端面から全開位置の戸板１０の戸尻側端面までの戸幅方向に沿う寸法に応じた寸法とした例を示している。つまりは、下レール６は、開口３の開口幅寸法の２倍以上の長さとされている。
また、この下レール６には、上方に向けて開口するガイド溝７が長手方向に延びるように設けられている。
【００１４】
この下レール６は、図３（ｃ）に示すように、開口３の壁厚方向一方側となる両縦枠５，５の壁厚方向一方側に位置するように配される。図例では、この下レール６を、その長手方向一端部が全閉位置とされた戸板１０の戸先側端部近傍に位置する一方の縦枠５の壁厚方向一方側に位置するように配した例を示している。また、図例では、この下レール６を、両縦枠５，５の壁厚方向一方面に近接するように配した例を示している。
また、本実施形態では、この下レール６を、床上に設置される、いわゆる直付レールとしている。なお、このような態様に代えて、下レール６を、床に埋込状に設けられるものとしてもよい。
【００１５】
また、本実施形態では、この下レール６の長手方向両端部に、戸板１０の全閉位置及び全開位置をそれぞれに規制する一対のストッパー部８，９を設けた構成としている。つまり、下レール６の長手方向一端部に戸板１０の全閉位置を規制する全閉側ストッパー部８を設け、下レール６の長手方向他端部に戸板１０の全開位置を規制する全開側ストッパー部９を設けた構成としている。これらストッパー部８，９は、上方に向けて突出するように設けられている。全閉側ストッパー部８は、戸板１０の戸先側端面の下端部に当接して戸板１０の閉鎖方向先側への更なる移動を抑制する構成とされている。全開側ストッパー部９は、戸板１０の戸尻側端面の下端部に当接して戸板１０の開放方向先側への更なる移動を抑制する構成とされている。なお、これらストッパー部８，９の上方側への突出寸法は、戸板１０の移動の抑制が可能なように、また、見栄え上の観点等から適宜、設定するようにしてもよい。
【００１６】
戸板１０は、上下に長尺状とされ、図１に示すように、全閉位置において、壁厚方向（戸厚方向）一方側から見て開口３の略全体を覆う構成とされている。また、戸板１０は、図２に示すように、全開位置において、この全開位置とされた戸板１０の戸先側端部近傍に位置する他方の縦枠５の内側面（見込面）と戸先側端面とが略同一平面状となるように配される。
本実施形態では、図１に示すように、戸板１０の上下寸法及び戸幅寸法を、開口３の開口高寸法及び開口幅寸法よりも大としている。図例では、戸板１０の上下寸法を、全閉位置において、壁厚方向一方側から見て上枠４の全体を覆い得る寸法としている。また、戸板１０の戸幅寸法を、全閉位置において、壁厚方向一方側から見て両側の縦枠５，５の略全体を覆い得る寸法としている。また、図例では、全閉位置とされた戸板１０を壁厚方向に見た状態における壁体２との重なり幅（戸幅方向に沿う幅）が、戸先側端部よりも戸尻側端部において大となるように戸板１０を配した例を示している。
【００１７】
この戸板１０の戸先側端部には、当該戸板１０を開閉する際の手掛けとなる適宜の引手１９が設けられている。
また、本実施形態では、戸板１０の下端部に、下レール６のガイド溝７に係合する戸車１１を設けている。図例では、戸板１０の下端部の戸幅方向両端部のそれぞれに戸車１１，１１を設けた例を示している。これら戸車１１，１１は、一部が戸板１０の下端面から下方に向けて突出するように設けられている。また、これら戸車１１，１１は、戸厚方向に沿う軸廻りに回転自在とされ、下レール６のガイド溝７に係合して転動する構成とされている。なお、このような戸車１１を戸板１０の下端部に設けた態様に代えて、戸板１０の下端部に設けられた突条や下端部自体が下レール６のガイド溝７に係合してガイドされる態様等としてもよい。
【００１８】
また、本実施形態では、図３（ａ）及び図４に示すように、戸板１０の上下方向他端側としての上端側に、戸幅方向に延びる凹溝１２を設けた構成としている。本実施形態では、この凹溝１２を、戸板１０の上端面において上方に向けて開口するように設けた構成としている。また、この凹溝１２を、溝長手方向に見て、略矩形溝状とした例を示している。
なお、この凹溝１２は、上方に向けて開口する断面略コ字状（Ｕ字状またはＣ字状）とされた金属系材料や硬質の合成樹脂系材料等から形成されたレール状部材によって区画されたものとしてもよい。または、少なくとも溝幅方向一方側壁が金属系材料や硬質の合成樹脂系材料等から形成された部材によって区画されたもの等としてもよい。また、図例では、凹溝１２を、戸幅方向両端面において開口させるように戸板１０の全幅に亘って設けた例を示しているが、戸幅方向両端面において開口させないようにしてもよい。
【００１９】
戸板１０の上下方向他端側としての上端側に設けられた緩衝機構１３，１６は、全閉位置及び全開位置のうちの少なくとも一方側に向けて移動する戸板１０を減速させ、跳ね返りや衝撃を緩和する構成とされている。
本実施形態では、戸板１０の上端側に、全閉位置に移動する戸板１０を減速させる全閉側緩衝機構１３と全開位置に移動する戸板１０を減速させる全開側緩衝機構１６とを設けている。また、戸板１０の上端側の戸幅方向両端部のそれぞれに対状にこれら緩衝機構１３，１６を設けた構成としている。また、全閉側緩衝機構１３を戸板１０の戸尻側端部に設け、全開側緩衝機構１６を戸板１０の戸先側端部に設けた構成としている。
【００２０】
これら緩衝機構１３，１６は、互いに同様の構成とされ、戸厚方向に見て線対称状となるように戸板１０の上端側に設けられている。
また、これら緩衝機構１３，１６は、後記する上ガイド部材２０の作用部２３ａ，２５ａ，２７ａ，２７ｂによって作動される作動アーム１５，１８と、作動アーム１５，１８を保持する機構本体１４，１７と、を備えている。
本実施形態では、作動アーム１５，１８が凹溝１２の溝底から凹溝１２の開口側となる上方に向けて突出するように、箱状の機構本体１４，１７を凹溝１２の溝底側に埋込状に設けた構成としている。図例では、戸厚方向に見て、凹溝１２内に位置するように作動アーム１５，１８を設けた構成としている。
【００２１】
これら作動アーム１５，１８は、上ガイド部材２０の作用部２３ａ，２５ａ，２７ａ，２７ｂによって戸板１０に対して変位し、戸板１０を減速させる構成とされている。機構本体１４，１７には、戸板１０に対して変位する作動アーム１５，１８の作動抵抗となる適宜のダンパー（ショックアブソーバー）が設けられ、このダンパーの作動抵抗（作動流体の粘性抵抗等）によって戸板１０が減速される。
また、本実施形態では、これら作動アーム１５，１８の基端部を、戸厚方向に沿う軸廻りに回転自在に機構本体１４，１７に連結した構成としている。つまり、機構本体１４，１７には、作動アーム１５，１８の回転抵抗となるダンパーが設けられている。また、本実施形態では、上ガイド部材２０の作用部２３ａ，２５ａ，２７ａ，２７ｂによって作動されていない自然状態において、これら作動アーム１５，１８を、これらの基端側よりも先端側が戸幅方向中心側に位置するように斜め状に配される構成としている。つまり、全閉側緩衝機構１３の作動アーム１５は、自然状態において、戸板１０の戸先側となる斜め上方に向けて突出するように配され、全開側緩衝機構１６の作動アーム１８は、自然状態において、戸板１０の戸尻側となる斜め上方に向けて突出するように配される。
【００２２】
また、本実施形態では、これら作動アーム１５，１８の先端部に、戸厚方向に沿う軸廻りに回転自在とされた先端ローラー１５ａ，１８ａを設けた構成としている。つまり、これら作動アーム１５，１８の先端部を先端ローラー１５ａ，１８ａとしている。
なお、これら緩衝機構１３，１６に、作動アーム１５，１８の自然状態を維持するように保持する係合保持部を設けるようにしてもよい。
また、これら緩衝機構１３，１６に、戸板１０が全閉位置または全開位置において、これら作動アーム１５，１８の閉鎖側または開放側への更なる回転を規制するストッパー部を設けるようにしてもよい。また、これら緩衝機構１３，１６に、ダンパーの作動抵抗に抗して移動する戸板１０を全閉位置または全開位置へと誘導する（引き込む）ように付勢するばね等の付勢部材を設けた構成としてもよい。また、これら緩衝機構１３，１６に、戸板１０が全閉位置または全開位置とされた作動アーム１５，１８の状態を維持するように保持する係合保持部を設けるようにしてもよい。または、戸板１０を全閉位置若しくは全開位置に維持するように保持する適宜の保持機構（キャッチ機構）を緩衝機構１３，１６とは別途に設けた構成としてもよい。
また、図例では、作動アーム１５，１８を、途中部位において先端側を戸幅方向中央側に屈曲させたような屈曲状とした例を示しているが、直状とされたものとしてもよい。
【００２３】
上ガイド部材２０は、戸板１０の上端部に設けられた被ガイド部としての凹溝１２に係合し、戸板１０の上端側をガイドする構成とされている。
また、上ガイド部材２０は、壁体２の一方側（壁厚方向一方側）において全閉位置の戸板１０の戸幅内に納まる位置となるように配設される構成とされている。つまり、この上ガイド部材２０は、下レール６のように全閉位置と全開位置とに亘ってスライドする戸板１０の下端側のガイドが可能なように長尺状とされておらず、戸幅方向に沿う寸法が戸板１０の戸幅寸法以下とされている。
【００２４】
本実施形態では、上ガイド部材２０を、図２に示すように、全開位置の戸板１０の戸先側端部幅内に納まる位置となるように配設される構成としている。換言すれば、この上ガイド部材２０は、全閉位置と全開位置とを移動する戸板１０の移動軌跡の概ね中央部となる他方の縦枠５の近傍に位置するように配設される構成とされている。
つまり、上ガイド部材２０の戸幅方向に沿う寸法は、全閉位置とされた戸板１０の戸尻側端面から全開位置とされた戸板１０の戸先側端面までの戸幅方向に沿う寸法以下とされている。つまりは、この上ガイド部材２０は、図１及び図２に示すように、戸板１０が全閉位置及び全開位置のいずれにおいても、戸厚方向に見て、戸板１０の戸幅方向両端面から戸幅方向外方側に突出しないように配設される構成とされている。図例では、この上ガイド部材２０の戸幅方向に沿う寸法を、全閉位置とされた戸板１０の戸尻側端面から全開位置とされた戸板１０の戸先側端面までの戸幅方向に沿う寸法と略同寸法とした例を示している。
【００２５】
また、本実施形態では、図３（ａ）、（ｂ）に示すように、この上ガイド部材２０を、取付対象に取り付けられる取付部材２１と、この取付部材２１に固定されて保持されるガイド本体２２と、を備えた構成としている。
取付部材２１は、ガイド本体２２を保持する保持片部２１ａと取付対象に取り付けられる取付片部２１ｂとを備えている。図例では、この取付部材２１を、戸幅方向に沿う方向に見て、略Ｌ字状とした例を示している。
取付片部２１ｂは、壁厚方向に厚さ方向を概ね沿わせた薄板状とされ、取付対象としての壁体２や開口枠（上枠４や縦枠５）等にねじ等の止具によって固定される。図例では、この取付片部２１ｂの下端部に、開口枠のちり部の上面（上端面）に当接される位置決め片部を設けた例を示している。
保持片部２１ａは、取付片部２１ｂの上端部から壁厚方向一方側に向けて突出するように設けられ、上下方向に厚さ方向を概ね沿わせた薄板状とされ、下面側にガイド本体２２が取り付けられる構成とされている。
【００２６】
ガイド本体２２は、保持片部２１ａの先端側の下面から下方に向けて突出するように設けられている。上記した戸板１０の凹溝１２は、図３（ａ）及び図４に示すように、このガイド本体２２の概ね全体を受け入れるように設けられている。なお、この戸板１０の凹溝１２を、壁厚方向一方側から見て上ガイド部材２０の全体を覆い得るように設けた態様としてもよい。例えば、戸板１０の凹溝１２の溝幅方向一方側を区画する一方側（反壁体側）片部によって上ガイド部材２０の全体が覆われるように、この一方側片部の上下寸法を、凹溝１２の溝幅方向他方側を区画する他方側（壁体２側）片部の上下寸法よりも大としてもよい。
【００２７】
また、本実施形態では、ガイド本体２２（上ガイド部材２０）に、戸板１０の凹溝１２の内面に当接されて転動するローラー（ガイドローラー）２８を設けた構成としている。本実施形態では、ガイド本体２２に、戸幅方向に沿う方向に間隔を空けて複数（図例では、２つ）のガイドローラー２８，２８を設けた構成としている。図例では、ガイド本体２２の戸幅方向に沿う方向の両端部のそれぞれにガイドローラー２８，２８を設けた例を示している。
これらガイドローラー２８，２８は、互いに同様の構成とされ、上下方向に沿う軸廻りに回転自在とされている。また、これらガイドローラー２８，２８は、戸板１０の凹溝１２の内面としての溝幅方向の内壁に周面が当接し、転動する構成とされている。これらガイドローラー２８，２８の外径は、戸板１０の凹溝１２の溝幅に応じた寸法とされている。
なお、図例では、これらガイドローラー２８，２８を、薄型円板状とし、凹溝１２の内壁の上端部位に当接される構成とした例を示しているが、このような態様に限られない。
また、ガイド本体２２のガイドローラー２８，２８以外の部位は、凹溝１２の内面に当接しないよう戸厚方向に沿う寸法等が適宜の寸法とされている。
【００２８】
また、本実施形態では、図４に示すように、このガイド本体２２に、一対の緩衝機構１３，１６の各作動アーム１５，１８の先端部（先端ローラー）１５ａ，１８ａが当接し、作動アーム１５，１８を作動させる作用部２３ａ，２５ａ，２７ａ，２７ｂを設けている。本実施形態では、ガイド本体２２に、全閉側緩衝機構１３の作動アーム１５を作動させる全閉側作用部２３ａ，２７ａと、全開側緩衝機構１６の作動アーム１８を作動させる全開側作用部２５ａ，２７ｂと、を設けている。また、作用部２３ａ，２５ａ，２７ａ，２７ｂを構成するこれら全閉側作用部２３ａ，２７ａと全開側作用部２５ａ，２７ｂとを戸厚方向に沿う方向に見て線対称状となるように、ガイド本体２２に設けた構成としている。
【００２９】
また、本実施形態では、ガイド本体２２に、作動アーム１５，１８の先端部（先端ローラー）１５ａ，１８ａを受け入れ、戸板１０の全閉位置及び全開位置を規制する係合凹部２４，２６を設けた構成としている。本実施形態では、ガイド本体２２に、全閉側緩衝機構１３の作動アーム１５の先端ローラー１５ａを受け入れる全閉側係合凹部２４と、全開側緩衝機構１６の作動アーム１８の先端ローラー１８ａを受け入れる全開側係合凹部２６と、を設けた構成としている。
全閉側係合凹部２４は、戸板１０が全閉位置とされて後記するように起立状態とされる全閉側緩衝機構１３の作動アーム１５の先端ローラー１５ａの受け入れが可能なように設けられている（図４（ｂ）参照）。
全開側係合凹部２６も同様、戸板１０が全開位置とされて後記するように起立状態とされる全開側緩衝機構１６の作動アーム１８の先端ローラー１８ａの受け入れが可能なように設けられている（図４（ｄ）参照）。
【００３０】
これら係合凹部２４，２６は、下方側に向けて開口し、かつ戸厚方向に沿う方向に貫通するように切欠状に設けられている。また、これら係合凹部２４，２６は、戸厚方向に沿う方向に見て、略矩形状とされている。
各係合凹部２４，２６の戸幅方向に沿う寸法は、図４（ｂ）、（ｄ）に示すように、各緩衝機構１３，１６の作動アーム１５，１８の先端ローラー１５ａ，１８ａの外径に応じた寸法とされている。
また、本実施形態では、これら係合凹部２４，２６を含み、ガイド本体２２の全体を、戸厚方向に沿う方向に見て、戸幅方向に沿う方向中心を対称軸とする線対称状としている。
【００３１】
ガイド本体２２には、これら全閉側係合凹部２４及び全開側係合凹部２６を区画するように、戸幅方向に沿う方向中央部位に中央突出部２７が設けられ、戸幅方向に沿う方向両端側部位に全閉側突出部２３及び全開側突出部２５が設けられている。つまり、ガイド本体２２に、全閉側突出部２３、全閉側係合凹部２４、中央突出部２７、全開側係合凹部２６及び全開側突出部２５を、戸幅方向に沿う方向にこの順に横並び状に設けた構成としている。
また、本実施形態では、中央突出部２７の突出寸法を、全閉側突出部２３及び全開側突出部２５の突出寸法よりも大としている。つまり、中央突出部２７の下端が全閉側突出部２３及び全開側突出部２５の下端よりも下方側に位置するように、これら突出部２３，２５，２７を設けた構成としている。
また、全閉側突出部２３及び全開側突出部２５の基端部のそれぞれに、上記したガイドローラー２８，２８を設けた構成としている。
【００３２】
全閉側突出部２３は、全開側突出部２５よりも戸板１０の戸尻側に位置するように配設される。この全閉側突出部２３には、図４（ａ）に示すように、全閉側に移動する戸板１０の全閉側緩衝機構１３の作動アーム１５を、先端側が下方側に変位するように、つまり、倒伏させるように回転させる、全閉側作用部を構成する全閉側傾斜面２３ａが設けられている。
全開側突出部２５は、全閉側突出部２３を左右反転させたような形状とされている。この全開側突出部２５には、図４（ｃ）に示すように、全開側に移動する戸板１０の全開側緩衝機構１６の作動アーム１８を、先端側が下方側に変位するように、つまり、倒伏させるように回転させる、全開側作用部を構成する全開側傾斜面２５ａが設けられている。
【００３３】
これら傾斜面２３ａ，２５ａは、各突出部２３，２５の突出方向先端面となる下面側を構成し、ガイド本体２２の戸幅方向に沿う方向中心に向かうに従い下方側となるように傾斜する構成とされている。つまりは、これら傾斜面２３ａ，２５ａは、下方側かつ戸幅方向に沿う方向の斜め外方側に向く傾斜面とされている。
また、これら傾斜面２３ａ，２５ａは、上縁となる戸幅方向に沿う方向の外方側端部に、自然状態の各緩衝機構１３，１６の作動アーム１５，１８の先端ローラー１５ａ，１８ａが当接する構成とされている。
【００３４】
なお、これら傾斜面２３ａ，２５ａの水平面に対する傾斜角度や戸幅方向に概ね沿う方向の寸法等は、戸板１０をスムーズに減速させる観点等から適宜の角度や寸法としてもよい。
また、図例では、各傾斜面２３ａ，２５ａの戸幅方向に沿う方向中心側部位の幅寸法（戸厚方向に沿う寸法）が戸幅方向に沿う方向外方側部位の幅寸法よりも小となるように、各突出部２３，２５の戸幅方向に沿う方向中心側部位に幅狭部を設けた例を示している。上記した各作動アーム１５，１８は、これら突出部２３，２５の幅狭部の受け入れが可能なように、戸厚方向に沿う方向に間隔を空けて先端ローラー１５ａ，１８ａを回転自在に保持する一対の板状体を備えた構成とされている。
【００３５】
これら一対の突出部２３，２５の中央突出部２７側に向く中央側面２３ｂ，２５ｂと中央突出部２７の戸幅方向に沿う方向外方側に向く外側面２７ａ，２７ｂとによって各係合凹部２４，２６の戸幅方向に沿う方向の両側が区画されている。これら中央側面２３ｂ，２５ｂ及び外側面２７ａ，２７ｂは、垂直状にかつ互いに平行状に設けられている。
また、中央突出部２７の外側面２７ａ，２７ｂは、係合凹部２４，２６を区画し、かつ、各緩衝機構１３，１６の作動アーム１５，１８を作動させる作用部としても機能する。
中央突出部２７の全閉側突出部２３側に向く外側面は、全閉側に移動する戸板１０の全閉側緩衝機構１３の作動アーム１５を、先端側が上方側に変位するように、つまり、起立させるように回転させる、全閉側作用部を構成する全閉側当接面２７ａを構成する。
中央突出部２７の全開側突出部２５側に向く外側面も同様、全開側に移動する戸板１０の全開側緩衝機構１６の作動アーム１８を、先端側が上方側に変位するように、つまり、起立させるように回転させる、全開側作用部を構成する全開側当接面２７ｂを構成する。
これら当接面２７ａ，２７ｂは、各傾斜面２３ａ，２５ａの作用によって倒伏された作動アーム１５，１８の先端ローラー１５ａ，１８ａが当接するように設けられている。
【００３６】
上記構成とされた上ガイド部材２０の作用部２３ａ，２５ａ，２７ａ，２７ｂによって各緩衝機構１３，１６の作動アーム１５，１８が作動され、戸板１０が減速される。
つまり、図４（ａ）に示すように、戸板１０が開放側から全閉位置に向けて移動する際には、全閉側緩衝機構１３の作動アーム１５が全閉側傾斜面２３ａの作用によって倒伏するように変位し、戸板１０が減速される。また、更なる全閉位置への移動を伴い、全閉側緩衝機構１３の作動アーム１５が全閉側傾斜面２３ａを越え、全閉側当接面２７ａに当接すれば、図４（ｂ）に示すように、起立するように変位し、戸板１０が減速される。また、この作動アーム１５の先端ローラー１５ａが全閉側当接面２７ａを上るようにして全閉側係合凹部２４に挿入され、戸板１０が全閉位置となる。
【００３７】
また、戸板１０が閉鎖側から全開位置に向けて移動する際も同様、図４（ｃ）に示すように、全開側緩衝機構１６の作動アーム１８が全開側傾斜面２５ａの作用によって倒伏するように変位し、戸板１０が減速される。また、更なる全開位置への移動を伴い、全開側緩衝機構１６の作動アーム１８が全開側傾斜面２５ａを越え、全開側当接面２７ｂに当接すれば、図４（ｄ）に示すように、起立するように変位し、戸板１０が減速される。また、この作動アーム１８の先端ローラー１８ａが全開側当接面２７ｂを上るようにして全開側係合凹部２６に挿入され、戸板１０が全開位置となる。
【００３８】
なお、上ガイド部材２０は、金属系材料や硬質の合成樹脂系材料等から形成されたものとしてもよい。
また、図例では、ガイド本体２２の戸幅方向に沿う寸法を、取付部材２１の戸幅方向に沿う寸法よりも小とした例を示しているが、このような態様に限られない。ガイド本体２２の戸幅方向に沿う寸法を、取付部材２１の戸幅方向に沿う寸法よりも大としたり、ガイド本体２２の戸幅方向に沿う寸法と取付部材２１の戸幅方向に沿う寸法とを略同寸法としたりしてもよい。
また、取付部材２１とガイド本体２２とを別体とした態様に代えて、これらを一体的に設けた態様としてもよい。換言すれば、ガイド本体２２に一体的に取付対象に取り付けられる部位を設けた態様等としてもよい。
【００３９】
本実施形態に係る引戸装置１は、上述のような構成としたことで、戸板１０の上端側及び下端側のうちの一方をガイドする部材２０を少なくとも全閉位置において目立ち難くしながらも、全閉位置及び全開位置のうちの少なくとも一方側に移動する戸板１０の衝撃を緩和することができる。
つまり、壁体２に設けられた開口３を開口３の壁厚方向一方側において開閉するように壁体２の一方面に沿ってスライド自在に建て付けられる戸板１０の上下をガイドするガイド部材２０及びガイドレール６を備えた構成としている。従って、戸板１０をアウトセット状に納めることができる。
また、戸板１０の上下方向他端側としての上端側をガイドするガイド部材（上ガイド部材）２０を、壁体２の一方側（壁厚方向一方側）において全閉位置の戸板１０の戸幅内に納まる位置となるように配設されるものとしている。従って、従来のように戸板の全閉位置において戸板納め側の壁面の一方側において上下のレールが目立ち易くなるようなものと比べて、戸板１０の上下方向他端側としての上端側をガイドする上ガイド部材２０を少なくとも戸板１０が全閉位置において目立ち難くすることができる。
【００４０】
また、戸板１０の上下方向他端側としての上端側に、上ガイド部材２０に設けられた作用部２３ａ，２５ａ，２７ａ，２７ｂによって作動されるように設けられ、全閉位置及び全開位置のうちの少なくとも一方側に移動する戸板１０を減速させる緩衝機構１３，１６を設けている。従って、全閉位置及び全開位置のうちの少なくとも一方側に移動する戸板１０の衝撃を緩和することができる。また、例えば、ガイドレール（下レール）６のガイド溝７内や上ガイド部材２０に緩衝機構１３，１６を設けるようなことも考えられるが、このようなものと比べて、下レール６や上ガイド部材２０側の構造の簡略化や薄型化等を図ることができる。
【００４１】
また、本実施形態では、戸板１０の上下方向他端側としての上端側をガイドする上ガイド部材２０を、壁体２の一方側（壁厚方向一方側）において全閉位置の戸板１０の戸幅内に納まる位置となるように配設されるものとしている。従って、図１に示すように、戸板１０を全閉位置とすれば、戸板１０を納める側の壁面に上レール等が存在せず、すっきりとした印象を与えることができる。
【００４２】
また、本実施形態では、上ガイド部材２０に、戸板１０の上下方向他端側としての上端側に設けられた凹溝１２の内面に当接されて転動するローラー（ガイドローラー）２８を設けた構成としている。従って、戸板１０側の被ガイド部の構成の簡略化を図りながらも、戸板１０の上端側を円滑にガイドすることができる。なお。このようなガイドローラー２８を上ガイド部材２０に設けた態様に代えて、上ガイド部材２０に、戸板１０の凹溝１２の内面に摺るように接するガイド部を設けた態様としてもよい。
また、本実施形態では、戸板１０に凹溝１２を設け、上ガイド部材２０に凹溝１２に挿入されるガイド部を設けた構成としている。従って、例えば、戸板に凸条を設け、上ガイド部材に凸条が挿入されるガイド溝を設けたものと比べて、戸板１０を効果的に壁体２の一方面（開口枠の見付面）に近接させることができる。
【００４３】
また、本実施形態では、上ガイド部材２０を、全開位置の戸板１０の戸先側端部幅内に納まる位置となるように配設される構成としている。つまりは、上ガイド部材２０の戸幅方向に沿う寸法を、戸先側端部の戸幅方向に沿う寸法に応じた寸法とし、上ガイド部材２０を戸板１０のスライド領域の略中央部に配設される構成としている。従って、図２に示すように、戸板１０が全開位置においても上ガイド部材２０を目立ち難くすることができる。
また、戸板１０の上下方向他端側としての上端側の戸幅方向両端部のそれぞれに対状に緩衝機構１３，１６を設けた構成としている。従って、上ガイド部材２０の戸幅方向に沿う寸法の小型化を図りながらも、この上ガイド部材２０に設けられた作用部２３ａ，２５ａ，２７ａ，２７ｂによって戸幅方向両端部の緩衝機構１３，１６が作動され、全開位置及び全閉位置のいずれ側に移動する戸板１０の衝撃をも緩和することができる。
【００４４】
また、本実施形態では、上ガイド部材２０に、作用部２３ａ，２５ａ，２７ａ，２７ｂを構成する全閉側作用部２３ａ，２７ａと全開側作用部２５ａ，２７ｂとを戸厚方向に沿う方向に見て線対称状となるように設けた構成としている。従って、対称軸廻りに反転させた場合にも各作用部２３ａ，２５ａ，２７ａ，２７ｂを機能させることができる。これにより、本実施形態のように、作用部２３ａ，２５ａ，２７ａ，２７ｂを設けたガイド本体２２と取付対象に取り付けられる取付部材２１とを別部材としたような場合にも、取付部材２１に対するガイド本体２２の取付性を向上させることができる。この結果、上ガイド部材２０の構造の簡略化を図ることができる。
【００４５】
また、本実施形態では、上ガイド部材２０に、作動アーム１５，１８の先端ローラー１５ａ，１８ａを受け入れ、戸板１０の全閉位置及び全開位置を規制する係合凹部２４，２６を設けた構成としている。従って、上ガイド部材２０によって戸板１０の全閉位置及び全開位置を規制することができる。つまりは、本実施形態では、下レール６の両端部のストッパー部８，９と上ガイド部材２０とによって、より安定的に戸板１０の全閉位置及び全開位置を規制することができる。
【００４６】
また、本実施形態では、作用部を構成する各傾斜面２３ａ，２５ａを越えた作動アーム１５，１８の先端ローラー１５ａ，１８ａが作用部を構成する中央突出部２７の各当接面２７ａ，２７ｂに当接するように、中央突出部２７の下端を、各傾斜面２３ａ，２５ａを構成する突出部２３，２５の下端よりも下方位置としている。従って、各作動アーム１５，１８が各係合凹部２４，２６を越えるようなことを中央突出部２７によって抑制することができる。これにより、戸板１０をより確実に全閉位置及び全開位置に位置付けることができる。
【００４７】
なお、本実施形態では、中央突出部２７の両側に係合凹部２４，２６を設けた例を示しているが、中央突出部２７を設けずに、各作動アーム１５，１８の先端ローラー１５ａ，１８ａを受け入れる共用の単一の係合凹部を設けた構成としてもよい。さらには、このような係合凹部２４，２６を設けないようにしてもよい。
また、本実施形態では、上ガイド部材２０に、作用部として、作動アーム１５，１８を倒伏させる傾斜面２３ａ，２５ａと作動アーム１５，１８を起立させる当接面２７ａ，２７ｂとを設けた例を示しているが、これらのうちの一方のみを設けた構成としてもよい。この場合は、緩衝機構１３，１６を適宜、変形するようにしてもよい。例えば、作用部として垂直状の当接面２７ａ，２７ｂのみを設けた場合には、緩衝機構１３，１６の作動アーム１５，１８を、戸幅方向に沿う方向に伸縮されるロッド状のものとしてもよい。また、作用部として傾斜面２３ａ，２５ａのみを設けた場合には、緩衝機構１３，１６の作動アーム１５，１８を、上下方向に伸縮されるロッド状のものとしてもよい。戸板１０に設けられる緩衝機構１３，１６としては、その他、種々の変形が可能である。
【００４８】
また、本実施形態では、上ガイド部材２０を、戸板１０のスライド領域の略中央部に配設される構成とした例を示しているが、このような態様に限られない。例えば、戸板１０の戸幅寸法と略同長さとされ、全閉位置とされた戸板１０の戸幅内に納まる位置となるように配される上ガイド部材２０としてもよい。この場合は、戸板１０の戸先側端部に全閉側緩衝機構１３及び全開側緩衝機構１６を設けた構成や、全閉側及び全開側兼用の単一の緩衝機構を設けた構成としてもよい。また、この場合は、各緩衝機構１３，１６の作動アーム１５，１８に作用するように、作用部２３ａ，２５ａ，２７ａ，２７ｂや係合凹部２４，２６等を、上ガイド部材２０の長手方向両端側に離間させて設けたような構成等としてもよい。さらには、このように戸板１０に、全閉側緩衝機構１３及び全開側緩衝機構１６を設けた態様に代えて、いずれか一方のみを設けた構成としてもよい。この場合は、上ガイド部材２０を適宜、変形するようにしてもよい。
【００４９】
また、本実施形態では、戸板１０の上端部に、上方に開口する凹溝１２を戸幅方向に沿って設けた構成としているが、このような態様に代えて、戸板１０の壁体２側に向く戸厚方向一方側面（背面）において開口するように凹溝１２を設けた構成としてもよい。この場合は、上ガイド部材２０を適宜、変形するようにしてもよい。また、戸板１０側に凹溝１２を設け、上ガイド部材２０側に凹溝１２に挿入される部位を設けた態様に代えて、戸板１０側に凸条を設け、上ガイド部材２０側に凸条が挿入されるガイド溝を設けた態様等としてもよい。
【００５０】
また、本実施形態では、戸板１０の上下方向一端側を下端側とし、戸板１０の上下方向他端側を上端側とした例を示しているが、上下方向を逆としてもよい。つまり、ガイドレール６を、戸板１０の上端側をガイドする上レール６とし、ガイド部材２０を、戸板１０の下端側をガイドする下ガイド部材２０としてもよい。この場合は、上記した実施形態において説明した上下を逆として把握するようにしてもよい。また、この場合は、戸板１０の上端部に、上レール６に案内支持されるランナー等を設けた上吊型としてもよい。また、戸板１０の下端側に、適宜、緩衝機構１３，１６や被ガイド部等を設けるようにしてもよい。
【符号の説明】
【００５１】
１      引戸装置
６      下レール（ガイドレール）
１０    戸板
１２    凹溝
１３    全閉側緩衝機構（緩衝機構）
１５    作動アーム
１５ａ  先端ローラー（先端部）
１６    全開側緩衝機構（緩衝機構）
１８    作動アーム
１８ａ  先端ローラー（先端部）
２０    上ガイド部材（ガイド部材）
２３ａ  全閉側傾斜面（全閉側作用部、作用部）
２４    全閉側係合凹部（係合凹部）
２５ａ  全開側傾斜面（全開側作用部、作用部）
２６    全開側係合凹部（係合凹部）
２７ａ  全閉側当接面（全閉側作用部、作用部）
２７ｂ  全開側当接面（全開側作用部、作用部）
２８    ガイドローラー（ローラー）
２      壁体
３      開口
【図１】
2016130391.tif 000003
【図２】
2016130391.tif 000004
【図３】
2016130391.tif 000005
【図４】
2016130391.tif 000006